(57)【要約】      （修正有）【課題】スポーツや暑気対策用に安定的に巻くことが可能な巻き布を提供する。【解決手段】略矩形の巻き布１０の一方の端に、複数の切れ込み穴１１を有する。各切れ込み穴は、巻き布の長手方向と略平行に延びる切れ込みである。各切れ込み穴は、巻き布の長手方向に対し略平行な仮想的な折り線１２上の端付近の位置に形成され、また、切れ込み穴の各々の端部から巻き布の端までの距離は、全ての切れ込み穴で略同一に形成される。仮想的な折り線に沿って折った巻き布の他方の端が、切れ込み穴に挿入可能である。【選択図】図１
0003186862.tif 000002
【実用新案登録請求の範囲】
【請求項１】
略矩形の巻き布であって、
前記巻き布の少なくとも一方の端付近に、前記略矩形の１つの辺に対し略平行に複数の切れ込み穴が設けられ、
前記辺に対し略垂直な辺から前記複数の切れ込み穴の各々の端部までの距離は略同一であり、
前記巻き布の他方の端が、前記切れ込み穴に挿入可能であること
を特徴とする巻き布。
【請求項２】
請求項１に記載の巻き布であって、
前記辺に対し略平行な折り線が、仮想的に、又は、視認可能に設けられること
を特徴とする巻き布。
【請求項３】
請求項２に記載の巻き布であって、
前記折り線は、前記略垂直な辺を略二等分する略中央線と、当該中央線の両側を略四等分する略等分線と、の７本であり、前記切れ込み穴は、前記折り線に略一致する位置に、及び/又は、前記折り線の間に設けられていること
を特徴とする巻き布。
【請求項４】
請求項１乃至３のいずれか１つに記載の巻き布であって、
前記巻き布は、タオル地で形成されること
を特徴とする巻き布。
【考案の詳細な説明】
【技術分野】
【０００１】
本考案は、巻き布に関する。
【背景技術】
【０００２】
従来から、スポーツや暑気対策等に用いられるタオルは、首に巻いて使用、或いは携帯されることがある。このような方法で携帯することによって、顔や首から流れ落ちる汗を吸収させたり、両手を空いた状態で使用したりすることが可能となる。
【０００３】
しかしながら、タオルを単に首に掛けておくだけでは、激しい運動や下を向く動作等によって外れ落ちたり、不安定に感じたりする場合があった。しかし、それを防ごうとしてタオルの端を結ぶと、一般的なタオルの厚みからしてどうしても結び目が嵩張るために、顔等に触れて不快感を喚起したり、ほどけたりする虞もある。
【０００４】
この点、特許文献１には、止め具を設けることによって首に掛けることが可能なタオルが記載されている。しかしながらこのような構成では、別途止め具を必要とするため、特別な製造工程や部品を必要としなければならない。また、止め具は顔等を拭う際に肌に触れ、不快感を生ずる可能性もあった。
【先行技術文献】
【特許文献】
【０００５】
【特許文献１】特開２００５−２２０５０２号公報
【考案の概要】
【考案が解決しようとする課題】
【０００６】
本考案は、安定的に巻くことが可能な巻き布を提供することを目的とする。
【課題を解決するための手段】
【０００７】
上記課題を解決するために、本考案の一態様は、略矩形の巻き布であって、前記巻き布の少なくとも一方の端付近に、前記略矩形の１つの辺に対し略平行に複数の切れ込み穴が設けられ、前記辺に対し略垂直な辺から前記複数の切れ込み穴の各々の端部までの距離は略同一であり、前記巻き布の他方の端が、前記切れ込み穴に挿入可能であることを特徴とする。
【考案の効果】
【０００８】
安定的に巻くことが可能な巻き布を提供する。
【図面の簡単な説明】
【０００９】
【図１】本考案の実施例１に係る巻き布１０の平面図である。
【図２】切れ込み穴１１の拡大説明図である。
【図３】（ａ）（ｂ）巻き布１０の折り方の一例を説明するための説明図である。（ｄ）（ｅ）四つ折り状態の巻き布１０を両面側から見た説明図である。
【図４】（ａ）（ｂ）巻き布１０の使用法の一例を説明するための説明図である。
【図５】巻き布１０の使用法の一例を説明するための説明図である。
【図６】（ａ）（ｂ）巻き布１０の使用法の一例を説明するための説明図である。
【図７】巻き布１０の使用法の一例を説明するための説明図である。
【図８】本考案の実施例２に係る巻き布２０の平面図である。
【図９】（ａ）（ｂ）巻き布２０の折り方の一例を説明するための説明図である。（ｄ）（ｅ）三つ折り状態の巻き布２０を両面側から見た説明図である。
【図１０】本考案の他の例について説明する図である。
【考案を実施するための形態】
【００１０】
本考案の実施の形態について、以下、図に基づいて説明する。
【００１１】
＜実施例１＞
図１に、本考案の実施例１に係る巻き布１０の平面図を示す。巻き布１０は、一般的な略矩形状の布である。この略矩形状は、全ての辺の長さが略同一であってもよいが、ここでは、１つの辺の長さが他方の辺より長い略長方形状のものであるものとして説明する。巻き布１０は布であれば良く、例えば織布、編布、不織布等である。また、その素材も特に限定せず、例えば、綿、麻等の植物繊維、絹、羊毛、アンゴラ、カシミア、モヘア、アルパカ等の動物繊維、レーヨン、キュプラ、ポリノジック、アセテート、トリアセテート、プロミックス、ナイロン、ポリエステル、アクリル、ポリ塩化ビニル、ポリウレタン等の化学繊維、ガラス、金属等の他繊維等、あるいはこれらの混紡等でもよい。より汗等の吸水性を持たせるためには、例えば、巻き布１０を、タオル地で形成してもよい。
【００１２】
巻き布１０の一方の端には、複数の切れ込み穴１１を有する。各切れ込み穴１１は、巻き布１０の長手方向と略平行に延びる切れ込みである。各切れ込み穴１１は、巻き布１０の長手方向に対し略平行な仮想的な折り線１２上の端付近の位置に形成され、また、切れ込み穴１１の各々の端部から巻き布１０の端までの距離は、全ての切れ込み穴１１で略同一に形成される。
【００１３】
なお、図１では説明のために仮想的な折り線１２を図示しているが、実際の巻き布１０にはこのような線は描画されていないものとする。しかしながら、このような折り線が描かれていても良く、また織目の変化等により折り線が形成されていてもよい。あるいは、線に限らず、プリント、染め、刺繍等の任意の技術により、任意の意匠が設けられ、この意匠により折り線１２が示されてもよい。即ち、折り線１２は、視認可能に示されれば良い。
【００１４】
なお、折り線１２の数は何本としてもよいが、ここでは巻き布１０の短手方向の幅の略中心線が１本と、当該略中心線の両側をそれぞれ略四等分する略等分線６本の、計７本とする。従って、ここでは切れ込み穴１１も７つ設けられているものとする。切れ込み穴１１が７つである場合、巻き布１０の短手方向の幅を略四等分した場合、略三等分した場合、略二等分した場合等、どのような巻き方をしても、後述する環状とすることが容易となり使い勝手が向上する。
【００１５】
図２に、このような切れ込み穴１１の拡大説明図を示す。切れ込み穴１１は、一般的なボタンホールと同様に穴の周囲を糸でかがることで補強されていることが望ましい。また、切れ込み穴１１の端部から巻き布１０の端までの距離Ａは、適宜選択することが可能であるが、例えば、端部から１〜３ｃｍ程度の位置に形成されていることが望ましい。上記したように、この距離Ａは、全ての切れ込み穴１１で略同一に形成される。さらに、切れ込み穴１１の長さＢは、全ての切れ込み穴１１で略同一に形成され、その具体的な数は、布の短手方向の幅や厚みによって適当な長さを適宜選択することが可能であるが、例えば６ｃｍ〜８ｃｍ程度であることが望ましい。６ｃｍ〜８ｃｍという切れ込み穴１１の長さは、例えば、巻き布１０の短手方向の長さが３４ｃｍ〜４０ｃｍ程度であり、かつ、巻き布１０を、後述する四つ折りして使用する場合に特に好適である。ただし、距離Ａは、全ての切れ込み穴１１で略同一に形成されなくてもよく、また、長さＢは、全ての切れ込み穴１１で略同一に形成されなくてもよい。
【００１６】
図３（ａ）〜（ｃ）に、このような巻き布１０の折り方の一例を説明するための説明図を示す。ここでは、布を四つ折りして使用する例について示す。まず、図３（ａ）に示すように、略中央線である折り線１２で短手方向へと折りたたむ。ここで、布はその幅が二等分される。次に、図３（ｂ）に示すように、略等分線である折り線１２でさらに短手方向へと折りたたむ。これにより、布はその幅が略四等分された四つ折りとなり、４つの切れ込み穴１１ａが重なった状態となる。図３（ｃ）及び図３（ｄ）に、四つ折り状態の巻き布１０を両面側から見た図を示す。
【００１７】
図４（ａ）及び図４（ｂ）に、四つ折りした巻き布１０の使用法を説明するための説明図を示す。図示するように、切れ込み穴１１の形成されない方の布端を、他方の布端の表面側に位置する切れ込み穴１１ａへと差し入れる。次に、重なる内側の２つの切れ込み穴１１ａを通し、最後に裏面側に位置する切れ込み穴１１ａから外へと引き出す。これにより、一方の布端を、４つの切れ込み穴１１ａを貫通させ、布を環状とすることができる。
【００１８】
図５に、巻き布１０を首に巻いた状態で使用した場合の一例を示す。このように、一方の布端を切れ込み穴１１に通すことによって、布を環状に固定できる。ここへ首等を通せば、運動等の動作によって輪がほどけたりすることがない。これにより、手で保持したり他の固定具を使ったりすることなく、安定して布を巻いて使用することができる。また、切れ込み穴１１へ通す布の長さによって輪の大きさを調節することが可能であるため、利用者の好みの巻きの強さや、巻き位置等を自由に選択することができる。例えば首以外にも、頭に巻いて輪を形成し、余った部分を輪と頭の間に挟むことで、自由な強さで頭に固定することも可能である。
【００１９】
なお、布端を貫通させる切れ込み穴１１は上記の例に限らず、図６（ａ）及び図６（ｂ）に示すように、布端の縁に形成される切れ込み穴１１ｂへと通して使用することも可能である。図７に、巻き布１０を首に巻いた状態で使用した場合の一例を示す。図示するように、切れ込み穴１１ｂを通して輪を形成することによって、布を環状に固定できる。
【００２０】
また、本例では四つ折りで使用する場合について説明したが、その折り方についても上記に限定されず、中央線である折り線１２で二つ折りとし、図３（ｂ）に示すような二つ折り状態で使用することも可能である。その際には、どの切れ込み穴１１へと布端を差し込んでも、輪を形成することが可能となる。さらに、必ずしも布の短手方向の幅を略等分するように折り込む必要はない。例えば、切れ込み穴１１の形成されない方の布端を丸めて、任意の一つ乃至複数の切れ込み穴１１へと貫通させ、輪を形成することもできる。
【００２１】
＜実施例２＞
次に、本考案の実施例２に係る巻き布２０について説明する。なお、実施例１と共通する構成については共通する符号を付し、詳細な説明は省略する。
【００２２】
図８に、本考案の実施例２に係る巻き布２０の平面図を示す。巻き布２０は、その一端に切れ込み穴１１を有する点では実施例１と同様である。しかしながら、四つ折り線２２、三つ折り線２３、二つ折り線２４の５本の線上の端付近の位置に、切れ込み穴１１が計５つ形成されている点で実施例１とは異なる。
【００２３】
図９（ａ）及び図９（ｂ）に、このような巻き布２０の折り方の一例を説明するための説明図を示す。まず、図９（ａ）に示すように、布を三つ折り線２３で短手方向へと折りたたみ、さらに、図９（ｂ）に示すように、三つ折り線２４でさらに短手方向へと折りたたむ。こうして、布を三つ折りにする。
【００２４】
図９（ｃ）及び図９（ｄ）に、このような三つ折り状態の巻き布２０を両面側から見た図を示す。図示するように、三つ折りにした巻き布２０の一端では、両縁に切れ込み穴１１ｘが位置する状態となる。従って、図６及び図７に示した使用例と同様に、一方の布端を、他方の布端の縁に形成される切れ込み穴１１ｘから、他縁の切れ込み穴１１ｘに通すことによって、布を環状に固定することができる。
【００２５】
このように本実施例によれば、布を三つ折りにした状態で輪を形成することができる。もちろん、四つ折り線２２、及び二つ折り線２４の線上にも切れ込み穴１１を有しているため、四つ折り、二つ折りの状態でも使用できる。
【００２６】
以上、本考案に係る巻き布について説明した。なお上記に限らず、多くの代替物、修正および変形例が当業者にとって明らかである。
【００２７】
例えば、使用する際の折り方を限定した切れ込み穴１１を備える構成としてもよい。具体的には、図１０（ａ）に示すような、略中心線１つと、略等分線２つの折り線１２上に位置する切れ込み穴１１を３つのみを有する二つ折り用の巻き布３０、図１０（ｂ）に示すような、中心線１つと、略等分線４つの折り線１２上に位置する切れ込み穴１１を５つのみを有する三つ折り用の巻き布４０等が挙げられる。またその際、切れ込み穴１１の長さをどのような折り方をするのかによって異ならせてもよい。例えば、二つ折り用の場合には長く、四つ折り用の場合には短くすることで、折った布の幅に合わせた長さの穴とすることができる。このような構成によれば、限定された位置で迷うことなく布を折ることができる。
【００２８】
さらに例えば、布の両端側に切れ込み穴１１を形成してもよい。これにより、どちらの端も切れ込み穴１１へと差し込んで使用することが可能である。
【００２９】
また、各実施例の構成は、必ずしもその実施例のみでなく、他の実施例に対して適用することが可能である。
【符号の説明】
【００３０】
１０・２０・３０・４０・５０：巻き布、１１：切れ込み穴、１２：折り線、２２：四つ折り線、２３：三つ折り線、２４：二つ折り線。
【図１】
0003186862.tif 000003
【図２】
0003186862.tif 000004
【図３】
0003186862.tif 000005
【図４】
0003186862.tif 000006
【図５】
0003186862.tif 000007
【図６】
0003186862.tif 000008
【図７】
0003186862.tif 000009
【図８】
0003186862.tif 000010
【図９】
0003186862.tif 000011
【図１０】
0003186862.tif 000012
【手続補正書】
【提出日】平成25年9月4日(2013.9.4)
【手続補正１】
【補正対象書類名】実用新案登録請求の範囲
【補正対象項目名】全文
【補正方法】変更
【補正の内容】
【実用新案登録請求の範囲】
【請求項１】
略矩形の巻き布であって、
前記巻き布の少なくとも一方の端付近に、前記略矩形の１つの辺に対し略平行に複数の切れ込み穴が設けられ、
前記辺に対し略垂直な辺から前記複数の切れ込み穴の各々の端部までの距離は略同一であり、
前記巻き布の他方の端が、前記切れ込み穴に挿入可能であること
を特徴とする巻き布。
【請求項２】
請求項１に記載の巻き布であって、
前記辺に対し略平行に折った状態、又は、前記辺に対し略平行に設けられた視認可能な線で折った状態で、前記他方の端を前記切れ込み穴に挿入可能であること
を特徴とする巻き布。
【請求項３】
請求項２に記載の巻き布であって、
前記折った位置は、前記略垂直な辺を略二等分する中央位置と、当該中央位置の両側を略四等分する等分位置と、の７本であり、前記切れ込み穴は、前記折った位置に略一致する、及び/又は、前記折った位置の間に設けられていること
を特徴とする巻き布。
【請求項４】
請求項１乃至３のいずれか１つに記載の巻き布であって、
前記巻き布は、タオル地で形成されること
を特徴とする巻き布。